(57)【要約】【課題】  携帯端末によるＴＶ画像表示の縦表示及び横表示は、ＴＶ機能起動時に決定され、縦表示又は横表示への切り替えは、ユーザ操作により切り替える必要があり、表示切替操作が煩わしく、また、表示中に自動的に切り替えができない。【解決手段】  制御部３は、ＴＶチューナ２を所望チャンネルのＴＶ放送信号を選局受信させ、そのＴＶ画像を表示部７に表示させている状態において、回転センサ部６より端末の筐体の回転角度を取得し、その回転角度に応じて、表示処理部５に対して画像の表示サイズ及び正方向で表示を行う為の表示方向を設定する。これにより、筐体と一体的に回転する表示部７の回転角度に最適な表示方向及び表示サイズの切り替えを自動的に行うことができると共に、ユーザ操作による表示方向切り替えの煩わしさを低減できる。【選択図】            図１
2006053427.tif 000002
【特許請求の範囲】
【請求項１】
筐体の表面に設けられた表示部に画像を表示する表示手段と、
前記表示手段により前記表示部に画像をリアルタイム表示中に、筐体の回転角度が複数の検出角度範囲のどの範囲内であるかを検出する回転角度検出手段と、
前記回転角度検出手段により検出された回転角度に応じて、前記表示部に表示される画像の表示方向及び画像全体の表示サイズを設定し制御する制御手段と、
前記制御手段により設定された前記表示方向及び画像全体の表示サイズに従い、前記画像の前記表示部での表示を調整する表示制御手段と
を有することを特徴とする携帯端末。
【請求項２】
筐体の表面に設けられた表示部に画像を表示する表示手段と、
前記表示手段により前記表示部に画像をリアルタイム表示中に、筐体の回転角度が複数の検出角度範囲のどの範囲内であるかを検出する回転角度検出手段と、
前記回転角度検出手段により検出された回転角度に応じて、前記表示部に表示される画像の表示方向及び表示文字サイズを設定し制御する制御手段と、
前記制御手段により設定された前記表示方向及び表示文字サイズに従い、前記画像の前記表示部での表示を調整する表示制御手段と
を有することを特徴とする携帯端末。
【請求項３】
所望のチャンネルのテレビ放送信号を選局受信する受信手段を更に有し、前記受信手段により選局受信された所望チャンネルのＴＶ画像を前記表示手段により前記表示部にリアルタイムで表示させているときに前記回転角度検出手段により前記筐体の回転角度を検出させることを特徴とする請求項１又は２記載の携帯端末。
【請求項４】
前記筐体の表面に設けられた前記表示部の画面が略四角形であり、前記筐体の表面で、かつ、各種入力のための複数のキーが配列された操作部が前記表示部の画面の一辺側に設けられているとき、前記回転角度検出手段は、前記表示部と前記操作部との位置関係に応じて、４つの角度範囲のどの角度範囲にあるかを検出する手段であることを特徴とする請求項１乃至３のうちいずれか一項記載の携帯端末。
【請求項５】
前記制御手段は、前記表示部の画面が横長のときは、該画面が縦長の状態の時よりも前記表示文字サイズを拡大したサイズに設定することを特徴とする請求項４記載の携帯端末。
【請求項６】
筐体の表面に設けられた表示部に画像をリアルタイム表示しているときに、前記筐体の回転角度が複数の検出角度範囲のどの範囲内であるかを検出する第１のステップと、
前記第１のステップにより検出された回転角度に応じて、前記表示部に表示される画像の表示方向及び画像全体の表示サイズを設定し制御する第２のステップと、
前記第２のステップにより設定された前記表示方向及び画像全体の表示サイズに従い、前記画像の前記表示部での表示を調整する第３のステップと
を含むことを特徴とする携帯端末の表示制御方法。
【請求項７】
筐体の表面に設けられた表示部に画像をリアルタイム表示しているときに、前記筐体の回転角度が複数の検出角度範囲のどの範囲内であるかを検出する第１のステップと、
前記第１のステップにより検出された回転角度に応じて、前記表示部に表示される画像の表示方向及び表示文字サイズを設定し制御する第２のステップと、
前記第２のステップにより設定された前記表示方向及び表示文字サイズに従い、前記画像の前記表示部での表示を調整する第３のステップと
を含むことを特徴とする携帯端末の表示制御方法。
【請求項８】
所望のチャンネルのテレビ放送信号を選局受信する受信処理を行う第４のステップを更に含み、該第４のステップにより選局受信された所望チャンネルのＴＶ画像を前記表示部にリアルタイムで表示させているときに前記第１のステップにより前記筐体の回転角度を検出させることを特徴とする請求項６又は７記載の携帯端末の表示制御方法。
【請求項９】
前記筐体の表面に設けられた前記表示部の画面が略四角形であり、前記筐体の表面で、かつ、各種入力のための複数のキーが配列された操作部が前記表示部の画面の一辺側に設けられているとき、前記第１のステップは、前記表示部と前記操作部との位置関係に応じて、４つの角度範囲のどの角度範囲にあるかを検出することを特徴とする請求項６乃至８のうちいずれか一項記載の携帯端末の表示制御方法。
【請求項１０】
前記第２のステップは、前記表示部の画面が横長のときは、該画面が縦長の状態の時よりも前記表示文字サイズを拡大したサイズに設定することを特徴とする請求項９記載の携帯端末の表示制御方法。
【発明の詳細な説明】
【技術分野】
【０００１】
本発明は携帯端末及びその表示制御方法に係り、特にＴＶ画像や動画表示のようなリアルタイム表示において、筐体を縦長状態にしたときの縦表示、筐体を横長状態としたときの横表示への切り替えを可能とする携帯端末及びその表示制御方法に関する。
【背景技術】
【０００２】
携帯電話機、携帯情報端末（ＰＤＡ：Personal Digital Assistance）、簡易型携帯電話機（ＰＨＳ：Personal Handyphone System）などの携帯端末において、近年、テレビジョン信号（ＴＶ信号）を受信してテレビジョン画像（ＴＶ画像）を表示部に表示させることができるものが現れている。このようなＴＶ画像は画像の縦横比が異なっているため、携帯端末の表示部の向きに応じて、縦表示又は横表示にしてＴＶ画像の切り替えを行うことが、ユーザに見易い画像を提供できるので望ましい。
【０００３】
そこで、従来より、携帯端末の表示部に画像を表示する際に、画像の縦横情報に応じて、その画像の表示変更を行う画像表示装置が知られている（例えば、特許文献１参照）。この特許文献１記載の従来の画像表示装置は、縦横比が異なる画像を取得する画像取得手段と、画像表示手段と、取得した画像の縦横比を示す情報を取得する縦横比取得手段と、画像の縦横比を示す情報に基づいて、表示画面の縦横比が異なる画像表示部に表示する画像の表示方向及び表示サイズを決定する表示制御手段とを有し、縦横比の異なる画像をその時点での表示画面の向きに応じた正しい向きで表示させることで、装置のユーザに見易い画像を表示させるものである。
【０００４】
【特許文献１】特開２００４−１４５２９１号公報
【発明の開示】
【発明が解決しようとする課題】
【０００５】
しかるに、従来は、携帯端末によるＴＶ画像表示の縦表示及び横表示は、ＴＶ機能起動時に決定され、縦表示又は横表示への切り替えは、ユーザ操作により切り替える必要があり、表示切替操作が煩わしい。
【０００６】
また、特許文献１記載の従来の画像表示装置を携帯端末に適用した場合、ＴＶ画像のようなリアルタイム表示において表示方向を自動的に変更することができないという問題がある。
【０００７】
本発明は以上の点に鑑みなされたもので、ＴＶ画像や動画表示のようなリアルタイム表示において、縦表示、横表示への切り替えを行う場合に、回転角度を検出し、回転角度に応じた表示方向及び表示サイズを設定することにより、自動的に縦表示、横表示への切り替えを可能とする携帯端末及びその表示制御方法を提供することを目的とする。
【課題を解決するための手段】
【０００８】
上記の目的を達成するため、本発明の携帯端末は、筐体の表面に設けられた表示部に画像を表示する表示手段と、表示手段により表示部に画像をリアルタイム表示中に、筐体の回転角度が複数の検出角度範囲のどの範囲内であるかを検出する回転角度検出手段と、回転角度検出手段により検出された回転角度に応じて、表示部に表示される画像の表示方向及び画像全体の表示サイズを設定し制御する制御手段と、制御手段により設定された表示方向及び画像全体の表示サイズに従い、画像の表示部での表示を調整する表示制御手段とを有することを特徴とする。
【０００９】
この発明では、携帯端末の筐体の回転角度に応じて、表示部に表示される画像の表示方向及び画像全体の表示サイズを設定するようにしたため、筐体と一体的に回転する表示部の回転角度に最適な表示方向及び表示サイズで画像を表示できる。
【００１０】
また、上記の目的を達成するため、本発明の携帯端末は、筐体の表面に設けられた表示部に画像を表示する表示手段と、表示手段により表示部に画像をリアルタイム表示中に、筐体の回転角度が複数の検出角度範囲のどの範囲内であるかを検出する回転角度検出手段と、回転角度検出手段により検出された回転角度に応じて、表示部に表示される画像の表示方向及び表示文字サイズを設定し制御する制御手段と、制御手段により設定された表示方向及び表示文字サイズに従い、画像の表示部での表示を調整する表示制御手段とを有することを特徴とする。
【００１１】
この発明では、携帯端末の筐体の回転角度に応じて、表示部に表示される画像の表示方向及び表示文字サイズを設定するようにしたため、筐体と一体的に回転する表示部の回転角度に最適な表示方向及び表示文字サイズで画像を表示できる。
【００１２】
また、上記の目的を達成するため、本発明の携帯端末は、所望のチャンネルのテレビ放送信号を選局受信する受信手段を更に有し、受信手段により選局受信された所望チャンネルのＴＶ画像を表示手段により表示部にリアルタイムで表示させているときに回転角度検出手段により筐体の回転角度を検出させることを特徴とする。
【００１３】
また、上記の目的を達成するため、本発明の携帯端末は、筐体の表面に設けられた表示部の画面が略四角形であり、筐体の表面で、かつ、各種入力のための複数のキーが配列された操作部が表示部の画面の一辺側に設けられているとき、回転角度検出手段は、表示部と操作部との位置関係に応じて、４つの角度範囲のどの角度範囲にあるかを検出する手段であることを特徴とする。
【００１４】
また、上記の目的を達成するため、本発明の携帯端末は、表示方向及び表示文字サイズを設定制御する上記の制御手段が、表示部の画面が横長のときは、画面が縦長の状態の時よりも表示文字サイズを拡大したサイズに設定することを特徴とする。
【００１５】
また、上記の目的を達成するため、本発明の携帯端末の表示制御方法は、筐体の表面に設けられた表示部に画像をリアルタイム表示しているときに、筐体の回転角度が複数の検出角度範囲のどの範囲内であるかを検出する第１のステップと、第１のステップにより検出された回転角度に応じて、表示部に表示される画像の表示方向及び画像全体の表示サイズを設定し制御する第２のステップと、第２のステップにより設定された表示方向及び画像全体の表示サイズに従い、画像の表示部での表示を調整する第３のステップとを含むことを特徴とする。
【００１６】
この発明では、携帯端末の筐体の回転角度に応じて、表示部に表示される画像の表示方向及び画像全体の表示サイズを設定するようにしたため、筐体と一体的に回転する表示部の回転角度に最適な表示方向及び表示サイズで画像を表示できる。
【００１７】
また、上記の目的を達成するため、本発明の携帯端末の表示制御方法は、筐体の表面に設けられた表示部に画像をリアルタイム表示しているときに、筐体の回転角度が複数の検出角度範囲のどの範囲内であるかを検出する第１のステップと、第１のステップにより検出された回転角度に応じて、表示部に表示される画像の表示方向及び表示文字サイズを設定し制御する第２のステップと、第２のステップにより設定された表示方向及び表示文字サイズに従い、画像の表示部での表示を調整する第３のステップとを含むことを特徴とする。
【００１８】
この発明では、携帯端末の筐体の回転角度に応じて、表示部に表示される画像の表示方向及び表示文字サイズを設定するようにしたため、筐体と一体的に回転する表示部の回転角度に最適な表示方向及び表示文字サイズで画像を表示できる。
【００１９】
また、上記の目的を達成するため、本発明の携帯端末の表示制御方法は、所望のチャンネルのテレビ放送信号を選局受信する受信処理を行う第４のステップを更に含み、第４のステップにより選局受信された所望チャンネルのＴＶ画像を表示部にリアルタイムで表示させているときに第１のステップにより筐体の回転角度を検出させることを特徴とする。
【００２０】
また、上記の目的を達成するため、本発明の携帯端末の表示方法は、筐体の表面に設けられた表示部の画面が略四角形であり、筐体の表面で、かつ、各種入力のための複数のキーが配列された操作部が表示部の画面の一辺側に設けられているとき、第１のステップは、表示部と操作部との位置関係に応じて、４つの角度範囲のどの角度範囲にあるかを検出することを特徴とする。
【００２１】
更に、上記の目的を達成するため、本発明の携帯端末の表示制御方法は、表示方向及び表示文字サイズを設定制御する上記の第２のステップを、表示部の画面が横長のときは、画面が縦長の状態の時よりも表示文字サイズを拡大したサイズに設定することを特徴とする。
【発明の効果】
【００２２】
本発明によれば、画像表示中に筐体の回転角度を検出し、検出した回転角度に応じて、表示部に表示される画像の表示方向及び画像全体の表示サイズを設定することにより、筐体と一体的に回転する表示部の回転角度に最適な表示方向及び表示サイズの切り替えを自動的に行うことができる。
【００２３】
また、本発明によれば、検出した回転角度に応じて、表示部に表示される画像の表示方向及び表示文字サイズを設定することにより、筐体と一体的に回転する表示部の回転角度に最適な表示方向及び表示文字サイズの切り替えを自動的に行うようにしたため、携帯端末のような表示部が小さい場合に文字が見づらいなどの不満を解消でき、表示部を有効に利用することができる。
【００２４】
更に、本発明によれば、筐体の回転角度に応じて、画像表示を自動的に縦表示又は横表示に切り替えることができるので、ユーザ操作による表示方向切り替えの煩わしさを低減できる。
【発明を実施するための最良の形態】
【００２５】
次に、発明を実施するための最良の形態について図面と共に説明する。図１は本発明になる携帯端末の一実施の形態のブロック図を示す。この実施の形態は、携帯電話機の例で、アンテナを介して送受信する無線信号を変復調する無線部１と、アンテナを介してＴＶ信号を受信するＴＶチューナ２と、ＴＶチューナ２からのＴＶ信号を表示可能なように変換を行うＴＶ画像処理部４と、ＴＶ画像やユーザ操作などのメニュー表示などの表示を制御する表示処理部５と、携帯電話機の筐体の回転角度を検出する回転センサ部６と、ＴＶ画像処理部４や表示処理部５を制御し、回転センサ６からの回転角度に応じた表示方向を設定する制御部３と、ＴＶ画像などを表示する表示部７と、各設定を記憶する記憶部８と、プログラムなどを記憶しておくリード・オンリ・メモリ（ＲＯＭ）９と、ユーザがスイッチなどで操作を行う操作部１０とを含む構成とされている。
【００２６】
これらの各部はそれぞれ概略次のように動作する。無線部１は、アンテナを介して最寄りの基地局（図示せず）からの無線信号を受信し、受信した無線信号を復調する。また、送信時には、送信する無線信号を変調し、無線信号を上記の最寄りの基地局へ送信する。ＴＶチューナ２は、アンテナを介して受信したＴＶ放送信号の中から、制御部３により指定されたチャンネルのＴＶ放送信号を選局受信してベースバンド帯のＴＶ信号に変換し、その選局受信したＴＶ信号をＴＶ画像処理部４へ渡す。
【００２７】
ＴＶ画像処理部４は、ＴＶチューナ２により受信したＴＶ信号を表示可能なデータへ変換し、表示処理部５へ変換したデータを渡す。表示処理部５は、ＴＶ画像処理部４からのデータを表示部７にリアルタイム表示を行う為のタイミング制御や、ユーザ操作などによるメニュー表示の制御を行い、また、制御部３からの表示方向設定により、表示方向を変更する。
【００２８】
回転センサ部６は、図１の各部を搭載している携帯電話機の筐体の回転角度を検出する。制御部３は、ユーザ操作によるＴＶチャンネルの切り替えには、ＴＶチューナ２に対してチャンネル切り替え要求を行い、回転センサ部６からの回転角度を判定し、表示方向を設定する。表示部７は、液晶表示素子などから構成されており、各種の文字や画像やＴＶ画像などを表示する。記憶部８は制御部３の動作に必要な各設定を記憶する。ＲＯＭ９は、制御部３が実行するプログラムなどを予め記憶している。操作部１０は、ユーザにより操作される各種のスイッチなどから構成されており、その操作スイッチに対応したコードの信号を制御部３に入力する。
【００２９】
次に、本実施の形態の動作について、図１及び図５、図２及び図３及び図４のフローチャートを参照して詳細に説明する。
【００３０】
まず、ＴＶ機能開始時には、ＴＶ画像表示動作として携帯電話の待ち受け表示において、ユーザによる操作部１０の操作によりＴＶ機能を起動する（図２のステップＳ１０２）。次に、制御部３は、ユーザ操作からのＴＶ機能の起動に応じてＴＶチューナ２の電源オン、及び受信チャンネルをＴＶチューナ２に設定する（図２のステップＳ１０３）。続いて、制御部３は回転角度検出処理を行う（図２のステップＳ１０４）。
【００３１】
上記の回転角度検出処理は、図３のフローチャートに従って行われる。すなわち、制御部３は、まず回転センサ部６より筐体の回転角度を取得する（図３のステップＳ２０２）。筐体の回転角度及び後述する表示方向については、図５（Ａ）に示すように、表示部７が操作部１０より上にある縦長状態のとき、回転角度０度で表示方向”１”とし、同図（Ｂ）に示すように、表示部７が操作部１０の左側に位置する横長状態のとき、回転２７０度で表示方向”４”とし、同図（Ｃ）に示すように、表示部７が操作部１０の右側に位置する横長状態のとき、回転角度９０度で表示方向”２”とし、同図（Ｄ）に示すように、表示部７が操作部１０の下側に位置する縦長状態のとき、回転角度１８０度で表示方向”３”に設定してある。
【００３２】
なお、実際には図５（Ａ）、（Ｂ）、（Ｃ）、（Ｄ）のいずれかの状態になっているとは限らず、例えば図５（Ａ）と（Ｂ）との中間状態となっている場合も考えられるが、４つの９０度検出範囲内のどれに最も近いかによって回転角度を検出すればよい。例えば、回転角度０度を中心として±４５度の範囲内では回転角度０度として検出する。
【００３３】
次に、制御部３は回転センサ部６より取得した回転角度が０度であった場合（図３のステップＳ２０３）、回転角度設定を０度に設定し（図３のステップＳ２０８）、処理を終了する。回転角度が９０度であった場合（図３のステップＳ２０４）、回転角度設定を９０度に設定し（図３のステップＳ２０９）、処理を終了する。回転角度が１８０度であった場合（図３のステップＳ２０５）、回転角度設定を１８０度に設定し（図３のステップＳ２１０）、処理を終了する。回転角度が２７０度であった場合（図３のステップＳ２０６）、回転角度設定を２７０度に設定し（図３のステップＳ２１１）、処理を終了する。回転角度が前記の角度のいずれにも当てはまらない場合は、回転角度を０度に設定し（図３のステップＳ２０７）、回転角度検出処理を終了する。
【００３４】
次に、制御部３は図３と共に説明したステップＳ１０４の回転角度検出処理にて設定した回転角度を用いて、ＴＶ画像表示処理を行う（図２のステップＳ１０５）。このステップＳ１０５のＴＶ画像表示処理は、図４のフローチャートに従って行われる。すなわち、ＴＶ画像表示処理では、制御部３は上記の回転角度検出処理で設定した回転角度設定を取得し（図４のステップＳ３０２）、その取得した回転角度により、表示サイズ及び回転角度が１８０度、２７０度であった場合は、表示が逆方向となってしまう為、１８０度、２７０度であっても正方向で表示を行う為の表示方向を設定する。
【００３５】
すなわち、制御部３は、取得した回転角度が０度であった場合（図４のステップＳ３０３）、図５（Ａ）に示したように表示方向を”１”に設定し、画像全体の表示サイズを縦：ａａａドット、横：ｂｂｂドットの縦長に設定し（図４のステップＳ３０７）、ＴＶチューナ２から入力されるＴＶ画像のサイズを調整し（図４のステップＳ３１０）、サイズ調整した画像を表示制御部５に渡し処理を終了する（図４のステップＳ３１１）。
【００３６】
取得した回転角度が９０度であった場合（図４のステップＳ３０４）、制御部３は図５（Ｃ）に示したように表示方向を”２”に設定し、画像全体の表示サイズを縦：ｃｃｃドット、横：ｄｄｄドットの横長に設定し（図４のステップＳ３０８）、ＴＶチューナ２から入力されるＴＶ画像のサイズを調整し（図４のステップＳ３１０）、サイズ調整した画像を表示制御部５に渡し処理を終了する（図４のステップＳ３１１）。
【００３７】
取得した回転角度が１８０度であった場合（図４のステップＳ３０５）、制御部３は図５（Ｄ）に示したように表示方向を”３”に設定し、画像全体の表示サイズを回転角度が０度の時と同じ縦：ａａａドット、横：ｂｂｂドットの縦長に設定し（図４のステップＳ３０９）、ＴＶチューナ２から入力されるＴＶ画像のサイズを調整し（図４のステップＳ３１０）、サイズ調整した画像を表示制御部５に渡し処理を終了する（図４のステップＳ３１１）。
【００３８】
制御部３は、取得した回転角度が上記の０度、９０度及び１８０度のいずれでもないと判定した時は（図４のステップＳ３０３、Ｓ３０４、Ｓ３０５）、取得した回転角度は２７０度であったと判断し、図５（Ｂ）に示したように表示方向を”４”に設定し、画像全体の表示サイズを回転角度が９０度の時と同じ縦：ｃｃｃドット、横：ｄｄｄドットの横長に設定し（図４のステップＳ３０６）、ＴＶチューナ２から入力されるＴＶ画像のサイズを調整し（図４のステップＳ３１０）、サイズ調整した画像を表示制御部５に渡し処理を終了する（図４のステップＳ３１１）。
【００３９】
再び図２に戻って説明するに、図４と共に説明したステップＳ１０５のＴＶ画像処理が終了すると、制御部３は表示処理部５にてステップＳ１０５のＴＶ画像処理にて設定した表示方向の設定値に従い表示方向を変更させると共に、サイズ調整した画像を表示制御部５を通して表示部７へ供給し（図２のステップＳ１０６）、表示部７でＴＶ画像の表示を行わせる（図２のステップＳ１０７）。従って、本実施の形態では、筐体の回転角度に応じて、自動的にＴＶ画像サイズが調整されると共に表示方向も設定されて表示部７に最適に表示される。また、自動的に表示方向を切り替えているので、ユーザによる表示方向の切り替え操作を不要にでき、切り替えの煩わしさから解放できる。
【００４０】
更に、上記のＴＶ画像表示中に、制御部３は操作部１０からユーザによるＴＶ機能の終了の選択入力があったと判定した場合（図２のステップＳ１０８のＹｅｓ）、ＴＶチューナ２の電源オフなどの終了処理を行い（図２のステップＳ１０９）、ＴＶ機能を終了する（図２のステップＳ１１０）。ユーザ操作がＴＶ機能終了ではない場合（図２のステップＳ１０８のＮｏ）、再度、回転角度検出処理を行い（図２のステップＳ１０４）、処理を継続する。
【００４１】
次に、本発明の他の実施の形態について説明する。本発明の他の実施の形態は、携帯端末の基本的構成は図１と同じであるが、制御部３による動作が図６及び図７に示すフローチャートにより実行される点に特徴がある。
【００４２】
すなわち、携帯電話の待ち受け表示において、制御部３は操作部１０からユーザによる回転検出操作入力があった場合（図６のステップＳ４０２）、回転角度検出が設定されているか設定されていないかの判定を行う（図６のステップＳ４０３）。回転検出処理が設定されている場合、回転角度検出処理を行う（図６のステップＳ４０４）。この回転角度検出処理は、前述した図３のフローチャートに従った処理と同じであるため、説明は割愛する。
【００４３】
次に、制御部３は回転角度検出処理が終了すると、回転角度検出処理にて設定した回転角度に基づいて、表示制御処理を行う（図６のステップＳ４０５）。この表示制御処理は、図７のフローチャートに従って制御部３が実行する。すなわち、表示制御処理では、制御部３はまず、ステップＳ４０４での回転角度検出処理で設定された回転角度を取得する（図７のステップＳ５０２）。
【００４４】
続いて、制御部３は取得した回転角度により、表示文字サイズ及び表示方向を設定する。取得した回転角度が０度であった場合（図７のステップＳ５０３）、表示方向を図５（Ａ）に示したように”１”に設定し、表示文字サイズを”通常”に設定し（図７のステップＳ５０７）、表示文字サイズ及び表示方向を調整し（図７のステップＳ５１０）、サイズ調整した表示データを表示制御部５に渡し処理を終了する（図７のステップＳ５１１）。
【００４５】
取得した回転角度が９０度であった場合（図７のステップＳ５０４）、制御部３は図５（Ｃ）に示したように、表示方向を”２”に設定し、表示文字サイズを”拡大”に設定し（図７のステップＳ５０８）、表示文字サイズ及び表示方向を調整し（図７のステップＳ５１０）、サイズ調整した表示データを表示制御部５に渡し処理を終了する（図７のステップＳ５１１）。
【００４６】
取得した回転角度が１８０度であった場合（図７のステップＳ５０３）、制御部３は表示方向を”３”に設定し、表示文字サイズを”通常”に設定し（図７のステップＳ５０７）、表示文字サイズ及び表示方向を調整し（図７のステップＳ５１０）、サイズ調整した表示データを表示制御部５に渡し処理を終了する（図７のステップＳ５１１）。
【００４７】
また、制御部３は取得した回転角度が上記の０度、９０度及び１８０度のいずれでもないと判定した時は（図７のステップＳ５０３、Ｓ５０４、Ｓ５０５）、取得した回転角度は２７０度であったと判断し、図５（Ｂ）に示したように表示方向を”４”に設定し、表示文字サイズを”拡大”に設定し（図７のステップＳ５０６）、表示文字サイズ及び表示方向を調整し（図７のステップＳ５１０）、サイズ調整した表示データを表示制御部５に渡し処理を終了する（図７のステップＳ５１１）。
【００４８】
再び図６に戻って説明するに、制御部３はステップＳ４０５の表示制御処理が終了すると、続いて上記の表示制御処理で設定された表示方向及び表示文字サイズに従い、図１の表示処理部５を制御して表示方向を設定し、表示部７により表示させる（図６のステップＳ４０６）。
【００４９】
このように、本実施の形態では、筐体の回転角度を検出し、表示方向及び表示文字サイズを設定しているので、携帯端末のような表示部が小さい場合に文字が見づらいなどの不満を解消でき、表示部を有効に利用できるという効果が得られる。また、文字サイズの切り替えにおいてもボタンなどのユーザ操作による切り替えでは煩わしさがあるが、筐体を回転させるだけで文字サイズ及び表示方向を変更可能としているのでユーザ操作の煩わしさも低減できる効果が得られる。
【００５０】
なお、本発明は以上の実施の形態に限定されるものではなく、例えば以上の実施の形態では、筐体の回転角度を回転角度０度、９０度、１８０度及び２７０度の４つの角度範囲のどれかについて検出するようにしているが、例えば横及び縦の２つの角度範囲について検出するようにしてもよい。また、表示する画像はインターネットなどのネットワークを介して受信した動画像なども可能である。
【図面の簡単な説明】
【００５１】
【図１】本発明の一実施の形態のブロック図である。
【図２】本発明の一実施の形態の動作説明用フローチャートである。
【図３】図２中の回転角度検出処理の一例を示すフローチャートである。
【図４】図２中のＴＶ画像処理の一例を示すフローチャートである。
【図５】本発明の一実施の形態による表示方向及び回転角度設定を示す図である。
【図６】本発明の他の実施の形態の動作説明用フローチャートである。
【図７】図６の表示制御処理の一例を示すフローチャートである。
【符号の説明】
【００５２】
１  無線部
２  ＴＶチューナ
３  制御部
４  ＴＶ画像処理部
５  表示処理部
６  回転センサ部
７  表示部
８  記憶部
９  ＲＯＭ
１０  操作部
【図１】
2006053427.tif 000003
【図２】
2006053427.tif 000004
【図３】
2006053427.tif 000005
【図４】
2006053427.tif 000006
【図５】
2006053427.tif 000007
【図６】
2006053427.tif 000008
【図７】
2006053427.tif 000009